Podtech/llm-jp-corpus-v4-ja_patent huggingface dataset:
【手続補正書】
【提出日】平成27年3月23日(2015.3.23)
【手続補正１】
【補正対象書類名】特許請求の範囲
【補正対象項目名】全文
【補正方法】変更
【補正の内容】
【特許請求の範囲】
【請求項１】
電池容器および蓋を有し、前記電池容器の表面に前記電池容器の厚み方向に対向する一対の幅広面を有する複数の扁平形電池と、
隣り合う前記扁平形電池の前記幅広面同士を互いに向かい合わせて積層し、所定の圧縮力を付与した状態で前記扁平形電池を複数保持する保持部材と、
前記幅広面の一部を除いて前記電池容器の外周を覆う外装絶縁フィルムとを備え、
前記幅広面には、前記外装絶縁フィルムが前記蓋から前記電池容器の底面方向にかけて離間して複数箇所に配置され、前記外装絶縁フィルムで覆われていない非保護部が形成され、
前記保持部材は、隣り合う前記扁平形電池同士で互いに向かい合った前記幅広面同士の間に設けられて、前記非保護部に当接部で当接するスペーサを有することを特徴とする組電池。
【請求項２】
請求項１に記載の組電池において、
前記外装絶縁フィルムは、前記当接部と離間して設けられていることを特徴とする組電池。
【請求項３】
請求項２に記載の組電池において、
前記スペーサは、前記幅広面のうち前記外装絶縁フィルムで覆われている保護部と前記外装絶縁フィルムを介して重なる重複部を有することを特徴とする組電池。
【請求項４】
請求項３に記載の組電池において、
前記スペーサは、前記重複部と前記当接部との間に、前記当接部から離れるにつれて厚さが漸減する漸減部を有することを特徴とする組電池。
【請求項５】
請求項４に記載の組電池において、
前記漸減部の表面は、平面または曲面であることを特徴とする組電池。
【請求項６】
請求項３〜５のいずれか一項に記載の組電池において、
前記重複部は、前記外装絶縁フィルムと接触するフィルム接触面を有することを特徴とする組電池。
【請求項７】
請求項２に記載の組電池において、
前記非保護部は、前記当接部と前記外装絶縁フィルムとの間が絶縁樹脂で覆われていることを特徴とする組電池。
【手続補正２】
【補正対象書類名】明細書
【補正対象項目名】０００８
【補正方法】変更
【補正の内容】
【０００８】
本発明による組電池は、電池容器および蓋を有し、電池容器の表面に電池容器の厚み方向に対向する一対の幅広面を有する複数の扁平形電池と、隣り合う扁平形電池の幅広面同士を互いに向かい合わせて積層し、所定の圧縮力を付与した状態で扁平形電池を複数保持する保持部材と、幅広面の一部を除いて電池容器の外周を覆う外装絶縁フィルムとを備え、幅広面には、外装絶縁フィルムが蓋から電池容器の底面方向にかけて離間して複数箇所に配置され、外装絶縁フィルムで覆われていない非保護部が形成され、保持部材は、隣り合う扁平形電池同士で互いに向かい合った幅広面同士の間に設けられて、非保護部に当接部で当接するスペーサを有することを特徴とする。
【手続補正書】
【提出日】平成27年6月8日(2015.6.8)
【手続補正１】
【補正対象書類名】特許請求の範囲
【補正対象項目名】全文
【補正方法】変更
【補正の内容】
【特許請求の範囲】
【請求項１】
光通信機能と車両感知機能を併有する光ビーコンであって、
道路に向けてダウンリンク光を送出する光通信用の発光部材と、
車載機が前記ダウンリンク光を受信可能なダウンリンク領域の下流側に車両感知用の入射光を送出する車両感知用の発光部材と、
前記入射光の光量が、前記ダウンリンク光の光量よりも、緩やかに増大するように、前記入射光を送出させる発光回路と、を備えていることを特徴とする光ビーコン。
【請求項２】
光通信機能と車両感知機能を併有する光ビーコンであって、
道路に向けてダウンリンク光を送出する光通信用の発光部材と、
車載機が前記ダウンリンク光を受信可能なダウンリンク領域の下流側に車両感知用の入射光を送出する車両感知用の発光部材と、
前記入射光の光量が、前記ダウンリンク光の光量よりも、緩やかに減少するように、前記入射光を送出させる発光回路と、を備えていることを特徴とする光ビーコン。
【請求項３】
前記発光回路は、前記入射光の光量が、前記ダウンリンク光の光量よりも、緩やかに減少するように、前記入射光を送出させる請求項１に記載の光ビーコン。
【請求項４】
光通信機能と車両感知機能を併有する光ビーコンであって、
道路に向けてダウンリンク光を送出する光通信用の発光部材と、
車載機が前記ダウンリンク光を受信可能なダウンリンク領域の下流側に車両感知用の入射光を送出する車両感知用の発光部材と、
前記入射光の光量の増加度合が、前記ダウンリンク光の光量の増加度合に比べて抑制されるように、前記入射光を送出させる発光回路と、を備えていることを特徴とする光ビーコン。
【請求項５】
光通信機能と車両感知機能を併有する光ビーコンであって、
道路に向けてダウンリンク光を送出する光通信用の発光部材と、
車載機が前記ダウンリンク光を受信可能なダウンリンク領域の下流側に車両感知用の入射光を送出する車両感知用の発光部材と、
前記入射光の光量の減少度合が、前記ダウンリンク光の光量の減少度合に比べて抑制されるように、前記入射光を送出させる発光回路と、を備えていることを特徴とする光ビーコン。
【請求項６】
前記発光回路は、前記入射光の光量の減少度合が、前記ダウンリンク光の光量の減少度合に比べて抑制されるように、前記入射光を送出させる請求項４に記載の光ビーコン。
【手続補正２】
【補正対象書類名】明細書
【補正対象項目名】発明の名称
【補正方法】変更
【補正の内容】
【発明の名称】光ビーコン
【手続補正３】
【補正対象書類名】明細書
【補正対象項目名】０００１
【補正方法】変更
【補正の内容】
【０００１】
本発明は、光通信機能と車両感知機能を兼ね備えた光ビーコンに関する。
【手続補正４】
【補正対象書類名】明細書
【補正対象項目名】０１５２
【補正方法】変更
【補正の内容】
【０１５２】
２      車載機
４      光ビーコン
７      ビーコン制御機
８      ビーコンヘッド（投受光器）
１１      送受信ユニット
１２      センサユニット
２０      車両
２１      車載制御機
２３      光送信部
２４      光受信部
４２      光通信用の発光部材
４３      光通信用の受光部材
４５      車両感知用の発光部材
４６      車両感知用の受光部材
５１      遮蔽部材
５２      筒部材
５３      遮蔽プレート
５４      遮蔽小片
５５      膨出片部
６９      通信ＩＣ
７０      メインＣＰＵ
７１      感知処理部
８３      フィルタ回路
【手続補正書】
【提出日】平成27年10月8日(2015.10.8)
【手続補正１】
【補正対象書類名】特許請求の範囲
【補正対象項目名】全文
【補正方法】変更
【補正の内容】
【特許請求の範囲】
【請求項１】
メモリセルのアレイであって、選択された読み取りバイアスを超過する最低閾値によって特徴づけられた高い方の閾値状態を含む、閾値状態を使用して前記アレイのメモリセルにデータ値を記憶するように構成されたメモリセルのアレイと、
保持閾値チェックに失敗する閾値電圧を有する前記高い方の閾値状態のメモリセルを識別するための保持チェックロジックを含み、メモリデバイスがパワーオンした際に、前記高い方の閾値状態の前記識別されたメモリセルへの保持書き込みを行うロジックを含むコントローラと、を含むことを特徴とするメモリデバイス。
【請求項２】
前記コントローラがスタンバイモードと１つ以上のユーザモードを実施し、前記保持チェックロジックが前記スタンバイモードで実行することを特徴とする請求項１のデバイス。
【請求項３】
前記保持チェックロジックはアドレスにわたって反復的にメモリセルを読み取ることを含み、該反復的読み取りが、前記メモリセルに記憶されたデータ値を読み取るように構成された第１の読み取りバイアスを使用してあるアドレスでのメモリセルを読み取ること、前記高い方の閾値状態を有するメモリセルが特定の保持閾値よりも低い閾値電圧を有するか否かを示すように構成された第２の読み取りバイアスを使用して前記メモリセルから比較値を決定すること、前記データ値と前記比較値を比較すること、及び一致した場合前記アドレスを記憶することを含むことを特徴とする請求項１のデバイス。
【請求項４】
前記コントローラが、前記保持チェックに失敗するメモリセルのアドレスを保持するように構成され、選択されたセルにデータを書き込むためのユーザコマンドに応じてプログラムモードに突入するため、且つプログラムモードにおいて高閾値状態にプログラミングするため記憶されたアドレスをキューに入れるロジックを含むことを特徴とする請求項１のデバイス。
【請求項５】
前記コントローラが、読み取り又はプログラムコマンドが受信されると閾値保持チェックに失敗するメモリセルを識別する前記ロジックを中断するように構成されたことを特徴とする請求項１のデバイス。
【請求項６】
高い方の閾値状態を含む、閾値状態を使用してアレイのメモリセルにデータ値を記憶するように構成された前記メモリセルのアレイを有するメモリデバイスを動作させる方法であって、
保持閾値チェックに失敗する閾値電圧を有する前記高い方の閾値状態のメモリセルを識別し、
前記メモリデバイスがパワーオンした際に、前記保持閾値チェックの結果として識別された前記メモリセルへの保持書き込みプロセスを行う、ことを特徴とする方法。
【請求項７】
前記メモリセルがスタンバイモード及び１つ以上のユーザモードを実施し、前記スタンバイモードにおいて前記保持閾値チェックを行うコントローラを含むことを特徴とする請求項６の方法。
【請求項８】
前記デバイスの電源オン時に前記識別ステップを行うことを含むことを特徴とする請求項６の方法。
【請求項９】
前記識別ステップが、アドレスにわたって反復的にメモリセルを読み取ることを含み、反復が、前記メモリセルに記憶されたデータ値を読み取るように構成された第１の読み取りバイアスを使用してあるアドレスのメモリセルを読み取ること、前記高い方の閾値状態を有するメモリセルが特定の保持閾値よりも低い閾値電圧を有するか否かを示すように構成された第２の読み取りバイアスを使用してメモリセルから比較値を決定すること、前記データ値と前記比較値を比較すること、及び一致した場合前記アドレスを記憶することを含むことを特徴とする請求項６の方法。
【請求項１０】
前記識別されたメモリセルのアドレスを記憶することと、選択されたセルにデータを書き込むためのユーザコマンドに応じて突入したプログラムモードにおいて、前記高い方の閾値状態にプログラミングするために前記記憶したアドレスをキューに入れることを含むことを特徴とする請求項６の方法。
【請求項１１】
読み取り又はプログラムコマンドが受信された場合前記保持閾値チェックを中断することを含むことを特徴とする請求項６の方法。
【請求項１２】
前記メモリセルのアレイにおけるメモリセルが不揮発性のチャージトラップメモリセルであり、前記コントローラがスタンバイモード、書き込みモード、及び読み取りモードを含み、前記保持チェックロジックがスタンバイモード中に実行し、前記保持書き込みプロセスが前記スタンバイモードまたは前記書き込みモード中に実行する、ことを特徴とする請求項１のデバイス。
【請求項１３】
ユーザコマンドが受信された場合、前記保持閾値チェックを妨げることを含むことを特徴とする請求項１２のデバイス。
【請求項１４】
ユーザ書き込みコマンドに応じて、前記保持閾値チェックを妨げることを含むことを特徴とする請求項１２のデバイス。
【請求項１５】
メモリセルのアレイであって、複数のワード線及びビット線によるアクセスのため、且つ異なる閾値状態を使用して前記メモリセルにデータ値を記憶するように構成されたメモリセルのアレイと、
複数のアドレスにわたって反復して前記メモリセルを読むことを含むシーケンスを実行する保持チェックロジックとを含むコントローラとを有し、前記反復する読み込みは、前記メモリセルに記憶された前記データ値を読むように構成された第１のリードバイアスを用いてアドレスのメモリセルを読み込み、特定の閾値状態を有するメモリセルが特定の保持閾値よりも低い閾値電圧を有するか否かを示すように構成された第２のリードバイアスを用いて前記メモリセルから比較値を決定し、前記データ値と前記比較値がマッチしないメモリセルのアドレスを記憶し、
前記メモリデバイスのパワーオンの際に、前記記憶されたアドレスによって識別されるメモリセルの保持書き込みを実行するロジックとを
備えることを特徴とするメモリデバイス。
【手続補正書】
【提出日】平成27年3月6日(2015.3.6)
【手続補正１】
【補正対象書類名】特許請求の範囲
【補正対象項目名】全文
【補正方法】変更
【補正の内容】
【特許請求の範囲】
【請求項１】
第１のサイドシールドと第２のサイドシールドとの間に配置された磁気スタックを備え、各サイドシールドは、第１の既定の研磨速度を提供するように調整された研磨停止層を含む、装置。
【請求項２】
前記研磨停止層が、非磁性金属または非磁性金属合金を備える、請求項１に記載の装置。
【請求項３】
第１のサイドシールドと第２のサイドシールドとの間に磁気スタックを成形することと、
研磨停止層を有する各サイドシールドを構成することとを備え、前記研磨停止層は第１の既定の研磨速度を提供するように調整される、方法。
【請求項４】
第１および第２の研磨作業は、各サイドシールドを構成した後に実施され、
前記第１の研磨作業は、前記第１の既定の研磨速度と異なる第２の既定の研磨速度でスライス加工停止層を除去し、前記第２の研磨作業は、前記研磨停止層のトポグラフィを最小限にする、請求項３に記載のデータリーダー。
【請求項５】
前記研磨停止層を除去することをさらに備える、請求項３または請求項４に記載の方法。
【手続補正書】
【提出日】平成27年3月6日(2015.3.6)
【手続補正１】
【補正対象書類名】特許請求の範囲
【補正対象項目名】全文
【補正方法】変更
【補正の内容】
【特許請求の範囲】
【請求項１】
中央部に開口を有し、器具取付面に配設された配線器具に取り付けられる円形状の器具本体と；
前記配線器具を介して交流電源を受けて直流出力を生成する前記器具本体の前記開口の外側に配設された点灯装置と；
前面側に実装面が設けられ、前記開口を囲むように、かつ、少なくとも最外周が前記点灯装置よりも外側となるように前記本体に配設された複数の基板と；
前記基板上に実装された複数の発光素子と；
複数の発光素子を含めた器具本体の前面側を覆うように器具本体に取付けられる拡散カバー部材と；
前記複数の基板のうち特定の基板の前面の内周側に設けられ前記点灯装置から出力線を介して直流出力を発光素子に供給する電源供給接続部と；
特定の基板から隣接する他の基板に直流出力が供給されるように互いに隣接する基板間を電気的に接続する配線接続部と；
前記電源供給接続部を覆うとともに、前記基板と拡散カバー部材との間に設けられる拡散部材と；
を具備していることを特徴とする照明器具。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
本発明は、配線接続関係を簡素化できる照明器具を提供することを目的とする。
【手続補正４】
【補正対象書類名】明細書
【補正対象項目名】０００８
【補正方法】変更
【補正の内容】
【０００８】
本発明の実施形態による照明器具は、中央部に開口を有し、器具取付面に配設された配線器具に取り付けられる円形状の器具本体と；前記配線器具を介して交流電源を受けて直流出力を生成する前記器具本体の前記開口の外側に配設された点灯装置と；前面側に実装面が設けられ、前記開口を囲むように、かつ、少なくとも最外周が前記点灯装置よりも外側となるように前記本体に配設された複数の基板と；前記基板上に実装された複数の発光素子と；複数の発光素子を含めた器具本体の前面側を覆うように器具本体に取付けられる拡散カバー部材と；前記複数の基板のうち特定の基板の前面の内周側に設けられ前記点灯装置から出力線を介して直流出力を発光素子に供給する電源供給接続部と；特定の基板から隣接する他の基板に直流出力が供給されるように互いに隣接する基板間を電気的に接続する配線接続部と；前記電源供給接続部を覆うとともに、前記基板と拡散カバー部材との間に設けられる拡散部材と；を具備していることを特徴とする。
【手続補正書】
【提出日】平成27年2月6日(2015.2.6)
【手続補正１】
【補正対象書類名】特許請求の範囲
【補正対象項目名】全文
【補正方法】変更
【補正の内容】
【特許請求の範囲】
【請求項１】
少なくとも、基材層と、金属層と、絶縁層と、シーラント層とがこの順に積層された積層体からなり、
前記絶縁層が、不飽和カルボン酸またはその酸無水物で変性された、変性度が２．５〜１８．０質量％の変性ポリオレフィン樹脂を含む樹脂組成物により形成されてなり、
前記絶縁層が、ナノインデンターを用いて、前記積層体の積層方向における断面から前記絶縁層に対して圧子を５μｍ押し込んで測定される硬さが、１０ＭＰａ〜３００ＭＰａの範囲にある、電池用包装材料。
【請求項２】
前記変性ポリオレフィン樹脂は、ポリエチレン系樹脂及びポリプロピレン系樹脂の少なくとも一方が、前記不飽和カルボン酸またはその酸無水物で変性されて形成されたものである、請求項１に記載の電池用包装材料。
【請求項３】
前記変性ポリオレフィン樹脂が、さらに（メタ）アクリル酸エステルで変性されてなる、請求項１または２に記載の電池用包装材料。
【請求項４】
前記変性ポリオレフィン樹脂は、ポリエチレン系樹脂及びポリプロピレン系樹脂の少なくとも一方が、前記不飽和カルボン酸またはその酸無水物と（メタ）アクリル酸エステルとで変性されたものである、請求項３に記載の電池用包装材料。
【請求項５】
前記絶縁層の融点が、前記シーラント層の融点よりも低い、請求項１〜４のいずれかに記載の電池用包装材料。
【請求項６】
前記絶縁層と前記シーラント層との間に水分バリア樹脂層をさらに有する、請求項１〜５のいずれかに記載の電池用包装材料。
【請求項７】
前記金属層がアルミニウム箔により形成されている、請求項１〜６のいずれかに記載の電池用包装材料。
【請求項８】
前記シーラント層において、ナノインデンターを用いて、前記積層体の積層方向における断面から前記シーラント層に対して圧子を５μｍ押し込んで測定される弾性率が、１００ＭＰａ〜１０００ＭＰａの範囲にある、請求項１〜７のいずれかに記載の電池用包装材料。
【請求項９】
正極、負極、及び電解質を備えた電池素子が、請求項１〜８のいずれかに記載の電池用包装材料により封止されてなる、電池。
【請求項１０】
少なくとも、基材層と、金属層と、絶縁層と、シーラント層とをこの順に積層して積層体を得る工程を備え、
前記工程において、ナノインデンターを用いて、前記積層体の積層方向における断面から前記絶縁層に対して圧子を５μｍ押し込んで測定される硬さが、１０ＭＰａ〜３００ＭＰａの範囲にある前記絶縁層を形成する、電池用包装材料の製造方法。
【請求項１１】
前記工程後に、前記積層体を前記シーラント層の融点以上の温度で加熱する工程をさらに備える、請求項１０に記載の製造方法。
【手続補正書】
【提出日】平成27年5月13日(2015.5.13)
【手続補正１】
【補正対象書類名】特許請求の範囲
【補正対象項目名】請求項８
【補正方法】変更
【補正の内容】
【請求項８】
前記カバー部材が板状である請求項１〜７のいずれか１項に記載の有機半導体膜の形成方法。
【手続補正書】
【提出日】平成27年7月16日(2015.7.16)
【手続補正１】
【補正対象書類名】特許請求の範囲
【補正対象項目名】全文
【補正方法】変更
【補正の内容】
【特許請求の範囲】
【請求項１】
スプロケット（１１）、（３１）間に架け渡されたチェーン（２０）またはベルトを摺動させる帯状の摺動面（１２）を備えた樹脂材製アーム本体（１）と、前記アーム本体（１）の前記摺動面（１２）と反対側の受面（１３）にテンショナリフタ（７０）のプッシュロッド（７１）が当接する受部（２）を設けたテンショナ（９）において、
前記受部（２）が、前記アーム本体（１）に着脱自在に装着され、前記受面（１３）と間隙をもって対峙する板状部（２１１）と、前記板状部（２１１）の両側より前記アーム本体（１）の側面（１４）、（１４）に沿って伸びると共に、前記アーム本体（１）の側面（１４）、（１４）に設けた溝部（１５）、（１５）に係合する係止用突起（２１４）、（２１４）を備えた脚部（２１２）、（２１２）とより成る樹脂材製ソケット部材（２１）と、前記ソケット部材（２１）に一体的に取り付けられ、前記プッシュロッド（７１）が当接する当接部（２２１）と、前記ソケット部材（２１）の板状部（２１１）と前記受面（１３）との間に介在する緩衝部（２２２）とを備えたゴム状弾性材製パッド部（２２）とを備えていることを特徴とするテンショナ。
【請求項２】
前記当接部（２２１）と前記緩衝部（２２２）とが前記板状部（２１１）に設けた貫通孔（２１３）を介して相互に一体的に連結していることを特徴とする請求項１記載のテンショナ。
【請求項３】
前記緩衝部（２２２）が、前記板状部（２１１）と前記受面（１３）との間で圧縮された状態で装着されていることを特徴とする請求項１または２記載のテンショナ。
【請求項４】
前記係止用突起（２１４）、（２１４）が前記摺動面（１２）側に移動可能に前記溝部（１５）、（１５）と係合していることを特徴とする請求項１〜３のいずれか一項に記載のテンショナ。
【手続補正書】
【提出日】平成27年7月23日(2015.7.23)
【手続補正１】
【補正対象書類名】明細書
【補正対象項目名】００４７
【補正方法】変更
【補正の内容】
【００４７】
オキシムエステル系光重合開始剤を使用する場合の配合量は、（Ａ）酸変性感光性エポキシ樹脂と（Ｂ）非感光性カルボン酸樹脂との合計で１００質量部に対して、０．０１〜５質量部とすることが好ましい。０．０１質量部未満であると、銅上での光硬化性が不足し、塗膜が剥離するとともに、耐薬品性などの塗膜特性が低下することがある。一方、５質量部を超えると、ソルダーレジスト塗膜表面での光吸収が激しくなり、深部硬化性が低下する傾向がある。より好ましくは、０．５〜３質量部である。
【手続補正２】
【補正対象書類名】明細書
【補正対象項目名】０１３３
【補正方法】変更
【補正の内容】
【０１３３】
上記表２に示されるように、比較例１は（Ａ）酸変性感光性エポキシ樹脂が低軟化点、（Ｃ）液状２官能性エポキシ樹脂は樹脂が液状であることより、指触乾燥性が悪かった。また、比較例２は感光性のある（Ａ）酸変性感光性エポキシ樹脂を用いず感光性のない（Ｂ）非感光性カルボン酸樹脂のみを用いているため、硬化性に劣り、無電解金めっき耐性とはんだ耐熱性が悪かった。また、比較例３は指触乾燥性を悪化させる（Ｃ）液状２官能性エポキシ樹脂を用いず、固形エポキシ樹脂を用いているので、指触乾燥性が良好であった。しかし、固形エポキシ樹脂は多官能であることより熱硬化促進に非常に影響を及ぼすため、高酸価である（Ｂ）非感光性カルボン酸樹脂を用いたとしても、エポキシ樹脂が固形エポキシ樹脂のみの使用であると現像ライフが悪かった。
一方、実施例のとおり、（Ａ）酸変性感光性エポキシ樹脂、（Ｂ）非感光性カルボン酸樹脂、および、（Ｃ）液状２官能性エポキシ樹脂を用いると、指触乾燥性、無電解金めっき耐性、はんだ耐熱性、現像ライフの何れの特性においても良好な結果が得られた。特に（Ｂ）非感光性カルボン酸樹脂が高酸価であることより、指触乾燥性、現像ライフが良好であったことが推察される。
【手続補正書】
【提出日】平成27年8月17日(2015.8.17)
【手続補正１】
【補正対象書類名】明細書
【補正対象項目名】００２５
【補正方法】変更
【補正の内容】
【００２５】
【図１】本発明の実施形態１であるセンタレス研削装置の主要部の概略構成を示す平面図である。
【図２】同じく同センタレス研削装置の主要部の概略構成を示し、図２（ａ）は図１のＡ−Ａ線に沿った正面図、図２（ｂ）は図１のＢ−Ｂ線に沿った断面図である。
【図３】図３（ａ）〜（ｃ）は同センタレス研削装置における研削工程を説明するため平面図で、(ii)はそれぞれ（ｉ）における一点鎖線円内の部位の拡大図である。
【図４】同研削工程における砥石車とワークプッシャの切込み量の変化を示すサイクル線図である。
【図５】図５（ａ）〜（ｅ）は、本発明の実施形態２であるセンタレス研削装置による研削工程を説明するための平面図で、それぞれ図３における (ii)に対応する拡大図である。
【図６】図６（ａ）〜（ｄ）は、本発明の実施形態３であるセンタレス研削装置による研削工程を説明するための平面図で、図６（ａ）は砥石車の砥石面の拡大図、図６（ｂ）〜（ｄ）はそれぞれ図３における (ii)に対応する拡大図である。
【図７】図７（ａ）〜（ｃ）は本発明の実施形態４であるセンタレス研削装置における研削工程を説明するための平面図である。
【図８】同センタレス研削装置により研削される鍔付き棒状のワークを示す正面図であり、図８（ａ）は全体正面図、図８（ｂ）は実施形態１における研削対象部位である図８（ａ）の一点鎖線円内の部位の拡大図、図８（ｃ）は実施形態２および３における研削対象部位である図８（ａ）の一点鎖線円内の部位の拡大図である。
【図９】従来のセンタレス研削装置により鍔付き棒状のワークのテーパ面を研削加工する状態を拡大して示す平面図である。
【手続補正書】
【提出日】平成27年6月15日(2015.6.15)
【手続補正１】
【補正対象書類名】明細書
【補正対象項目名】００４２
【補正方法】変更
【補正の内容】
【００４２】
＜Ｏ／Ｗ型乳化液の重合反応前の調合と処理＞
内径２０ｍｍ、長さ約５００ｍｍの円筒型ケーシング内に１４００メッシュの主金網からなる金網と長さ１０ｍｍ、内径１５ｍｍのスペーサーから成るユニットを３０組挿入して乳化装置とした。
Ｏ／Ｗ型分散液には、ビニル基を含まない有機化合物としてＪＸ日鉱日石エネルギー社製ＴＳ−８（化学名：ｎ−オクタデカン、機能：蓄熱性）、ビニルモノマーとしてスチレン、架橋剤としてＥＧＤＭＡ（組成を表１に示す）、開始剤として日油社製パーオクタＯ（ＰＯＯ、化学名：１，１，３，３−テトラメチルブチルパーオキシ−２−エチルヘキサノエート）、１．４重量部、および連鎖移動剤として花王社製チオカルコール２０（化学名：ｎ−ドデシルメルカプタン）３．０重量部の油相混合物に分散剤水溶液（クラレ製ＰＶＡ２１７ＥＥ、０．５重量部）を加えて使用し、それぞれ個別のプランジャーポンプにより上記油相混合物および分散剤水溶液をそれぞれ１５ｇ/分、３０ｇ/分の流量にて乳化装置に導入することにより乳化を実施し、Ｏ／Ｗ型乳化液を得て、重合原料に供した。
【手続補正書】
【提出日】平成27年8月31日(2015.8.31)
【手続補正１】
【補正対象書類名】特許請求の範囲
【補正対象項目名】全文
【補正方法】変更
【補正の内容】
【特許請求の範囲】
【請求項１】
硬質樹脂中にフッ素系樹脂が分散した樹脂組成物からなる摺動部分を有するシールリングであって、前記フッ素系樹脂の最大粒径が９５０ｎｍ以下であり、且つ平均粒径が１００ｎｍ〜４５０ｎｍであることを特徴とする、シールリング。
【請求項２】
前記フッ素系樹脂は、アスペクト比が１．０以上１．１未満の第１粒子及びアスペクト比が１．１以上３．５以下の第２粒子を含み、前記樹脂組成物中の前記フッ素系樹脂が占める面積を１００として、前記第１粒子の占める面積が１０〜９０であることを特徴とする請求項１に記載のシールリング。
【請求項３】
前記硬質樹脂がポリエーテルエーテルケトン、ポリフェニレンサルファイド、ポリブチレンテレフタレート、ポリアミド、ポリアミドイミド、フッ化ビニリデン、液晶ポリマーの中から選ばれる少なくとも１種であることを特徴とする請求項１又は２に記載のシールリング。
【請求項４】
前記硬質樹脂がポリエーテルエーテルケトンであることを特徴とする請求項１又は２に記載のシールリング。
【請求項５】
前記フッ素系樹脂が、ポリテトラフルオロエチレンであることを特徴とする請求項１〜４の何れかに記載のシールリング。
【請求項６】
前記フッ素系樹脂の前記平均粒径が２４０ｎｍ〜３５０ｎｍであることを特徴とする請求項１〜５の何れかに記載のシールリング。
【請求項７】
自動車のオートマチックトランスミッションに装着される、請求項１〜６の何れかに記載のシールリング。
【手続補正２】
【補正対象書類名】明細書
【補正対象項目名】発明の名称
【補正方法】変更
【補正の内容】
【発明の名称】シールリング
【手続補正３】
【補正対象書類名】明細書
【補正対象項目名】０００３
【補正方法】変更
【補正の内容】
【０００３】
例えば、特許文献１には、モース硬度（旧）２．５〜７、粒径０．１〜３０μｍの無機質酸化物の微粒子の１種又は２種以上が、０．２５〜１０ｖｏｌ％；固体潤滑材３〜３０ｖｏｌ％；残余が合成樹脂からなる摺動部材組成物が提案されている。また、前記組成物にさらに芳香族ポリアミド繊維を０〜３０ｖｏｌ％を加えた組成物も示されている。特許文献１では、固体潤滑材に加えて、特定の範囲の硬度と粒径を有する無機質酸化物微粒子を特定量充填することにより、優れた耐摩耗性と低摩擦係数が得られることが記載されている。
また、特許文献２には、ポリエーテルケトン樹脂１００重量部に対して、３，３，３−トリフルオロ−２−トリフルオロメチルプロペンと１，１−ジフルオロエチレンとの共重合体を１０〜９０重量部添加したポリエーテルケトン系樹脂組成物が開示されている。特許文献２の組成物は、ポリエーテルケトン樹脂本来の優れた機械的、熱的、電気的特性を損なうことなく、非粘着性に優れ、しかもきわめて好ましい摺動特性を発揮するので、高温下で使用される摺動部材として最適であることが記載されている。
【手続補正４】
【補正対象書類名】明細書
【補正対象項目名】０００７
【補正方法】変更
【補正の内容】
【０００７】
上記目的に鑑み鋭意研究の結果、本発明者らは、硬質樹脂中にフッ素系樹脂が分散した樹脂組成物からなる摺動部分を有するシールリングにおいて、フッ素系樹脂の最大粒径を９５０ｎｍ以下とし、且つ平均粒径を１００ｎｍ〜４５０ｎｍとすることにより、樹脂組成物の機械特性が向上するとともに、油中での摩擦係数μが大幅に低減するため、この樹脂組成物から構成される摺動部分を有する摺動部材（シールリング）は優れた機械特性及び摺動特性を実現できることを見いだし、本発明に至った。すなわち、本発明のシールリングは、硬質樹脂中にフッ素系樹脂が分散した樹脂組成物からなる摺動部分を有するシールリングであって、フッ素系樹脂の最大粒径が９５０ｎｍ以下であり、且つ平均粒径が１００ｎｍ〜４５０ｎｍであることを特徴とする。
【手続補正５】
【補正対象書類名】明細書
【補正対象項目名】００１１
【補正方法】変更
【補正の内容】
【００１１】
本発明の樹脂組成物には、硬質樹脂とフッ素系樹脂の他に、摺動特性に支障を与えない範囲で、無機充填材として、炭素繊維、ガラス繊維、アルミナ繊維、チタン酸カリウム繊維、ボロン繊維、炭化珪素繊維等の繊維状無機充填材を添加することもできる。繊維状無機充填材の添加により、樹脂組成物から得られる摺動部材の耐摩耗性、機械的強度及び耐クリープ特性がさらに向上し、よりＰＶ値が高い領域での使用も可能となる。前記繊維状無機充填材の中でも炭素繊維、ガラス繊維が好ましく、炭素繊維としては、ＰＡＮ系炭素繊維やピッチ系炭素繊維が好ましい。これらの繊維状無機充填材の平均繊維長さは５０μｍ〜５００μｍとするのが好ましく、１００〜３００μｍとするのがさらに好ましい。
また、カーボンナノチューブは、補強機能を発揮する繊維状無機充填材として機能するのみならず、摺動特性を向上させるための充填材としても有効である。
本発明においては、上記繊維状無機充填材に代えて、又は上記繊維状無機充填材とともに、耐摩耗性や摺動特性等を向上させる目的で、その他の粒状充填材を添加することもできる。その他の充填材としては、耐熱性に優れた中性の材料が好ましく、具体的には、タルク、黒鉛、窒化ホウ素等が挙げられる。
【手続補正書】
【提出日】平成27年2月9日(2015.2.9)
【手続補正１】
【補正対象書類名】特許請求の範囲
【補正対象項目名】全文
【補正方法】変更
【補正の内容】
【特許請求の範囲】
【請求項１】
酸化物換算組成のガラス全質量に対して、質量％でＢ２Ｏ３成分を５．０〜５５．０％、Ｌａ２Ｏ３成分を１０．０〜５５．０％含有し、Ｆ成分をさらに含有し、Ｇｄ２Ｏ３成分の含有量が２５．０％未満である光学ガラス。
【請求項２】
酸化物基準の質量に対する外割りの質量％で、Ｆ成分を０．１％以上３０．０％以下含有する請求項１記載の光学ガラス。
【請求項３】
酸化物換算組成のガラス全質量に対して、質量％で
Ｙ２Ｏ３成分  ０〜３０．０％
Ｙｂ２Ｏ３成分  ０〜２０．０％
Ｌｕ２Ｏ３成分  ０〜１０．０％
ＳｉＯ２成分  ０〜４０．０％
Ｂｉ２Ｏ３成分  ０〜１０．０％
ＴｉＯ２成分  ０〜１５．０％
Ｎｂ２Ｏ５成分  ０〜２０．０％
ＷＯ３成分  ０〜１５．０％
Ｋ２Ｏ成分  ０〜１０．０％
ＺｒＯ２成分  ０〜１５．０％
Ｔａ２Ｏ５成分  ０〜１５．０％
Ｌｉ２Ｏ成分  ０〜５．０％
ＭｇＯ成分  ０〜１０．０％
ＣａＯ成分  ０〜２５．０％
ＳｒＯ成分  ０〜２５．０％
ＢａＯ成分  ０〜５５．０％
Ｎａ２Ｏ成分  ０〜１０．０％
ＺｎＯ成分  ０〜２５．０％
ＧｅＯ２成分  ０〜１０．０％
Ｐ２Ｏ５成分  ０〜１０．０％
Ａｌ２Ｏ３成分  ０〜１５．０％
Ｇａ２Ｏ３成分  ０〜１５．０％
ＴｅＯ２成分  ０〜１０．０％
ＳｎＯ２成分 ０〜５．０％
Ｓｂ２Ｏ３成分  ０〜１．０％
である請求項１又は２記載の光学ガラス。
【請求項４】
酸化物換算組成のガラス全質量に対するＬｎ２Ｏ３成分（式中、ＬｎはＬａ、Ｇｄ、Ｙ、Ｙｂ、Ｌｕからなる群より選択される１種以上）の質量和が３８．０％以上７０．０％以下である請求項１から３のいずれか記載の光学ガラス。
【請求項５】
酸化物換算組成の質量比Ｙ２Ｏ３／Ｌｎ２Ｏ３が０．１００以上である請求項１から４のいずれか記載の光学ガラス。
【請求項６】
酸化物換算組成のガラス全質量に対する質量和（Ｇｄ２Ｏ３＋Ｙｂ２Ｏ３）が２６．０％以下である請求項１から５のいずれか記載の光学ガラス。
【請求項７】
酸化物換算組成のガラス全質量に対する質量和（ＴｉＯ２＋Ｎｂ２Ｏ５＋Ｂｉ２Ｏ３＋ＷＯ３）が０．１％以上である請求項１から６のいずれか記載の光学ガラス。
【請求項８】
酸化物換算組成の質量比（ＴｉＯ２＋Ｎｂ２Ｏ５＋Ｂｉ２Ｏ３＋ＷＯ３）／（Ｌａ２Ｏ３＋Ｇｄ２Ｏ３）が０．０１０以上である請求項１から７のいずれか記載の光学ガラス。
【請求項９】
酸化物換算組成のガラス全質量に対する質量和（Ｆ＋Ｂｉ２Ｏ３＋ＴｉＯ２＋ＷＯ３＋Ｎｂ２Ｏ５＋Ｋ２Ｏ）が１．０％以上３０．０％以下である請求項１から８のいずれか記載の光学ガラス。
【請求項１０】
酸化物換算組成における質量比（Ｔａ２Ｏ５＋ＺｒＯ２＋Ｌｉ２Ｏ）／（Ｆ＋Ｂｉ２Ｏ３＋ＴｉＯ２＋ＷＯ３＋Ｎｂ２Ｏ５＋Ｋ２Ｏ）が１．３０以下である請求項１から９のいずれかに記載の光学ガラス。
【請求項１１】
酸化物換算組成のガラス全質量に対する質量和（Ｂｉ２Ｏ３＋ＴｉＯ２＋ＷＯ３＋Ｎｂ２Ｏ５＋Ｔａ２Ｏ５）が０．１％以上である請求項１から１０のいずれか記載の光学ガラス。
【請求項１２】
酸化物換算組成のガラス全質量に対する
ＲＯ成分（式中、ＲはＭｇ、Ｃａ、Ｓｒ、Ｂａからなる群より選択される１種以上）の質量和が５５．０％以下
Ｒｎ２Ｏ成分（式中、ＲｎはＬｉ、Ｎａ、Ｋからなる群より選択される１種以上）の質量和が２５．０％以下
である請求項１から１１のいずれか記載の光学ガラス。
【請求項１３】
１．６８以上の屈折率（ｎｄ）と、４０以上のアッベ数（νｄ）とを有し、
部分分散比（θｇ，Ｆ）がアッベ数（νｄ）との間で（θｇ，Ｆ）≧（−０．００１７０×νｄ＋０．６３７５０）の関係を満たし、
比重が５．００以下である請求項１から１２のいずれか記載の光学ガラス。
【請求項１４】
アッベ数（νｄ）が屈折率（ｎｄ）との間でνｄ≧−１００×ｎｄ＋２２０の関係を満たす請求項１から１３のいずれか記載の光学ガラス。
【請求項１５】
請求項１から１４のいずれか記載の光学ガラスからなるプリフォーム材。
【請求項１６】
請求項１５記載のプリフォーム材をプレス成形して作製する光学素子。
【請求項１７】
請求項１から１４のいずれか記載の光学ガラスを母材とする光学素子。
【請求項１８】
請求項１６又は１７のいずれか記載の光学素子を備える光学機器。
【手続補正書】
【提出日】平成27年10月13日(2015.10.13)
【手続補正１】
【補正対象書類名】明細書
【補正対象項目名】００２４
【補正方法】変更
【補正の内容】
【００２４】
図５は、図４の収納部材１０４に施された衝撃吸収のための構成を示す図である。図５（ａ）は、図４のＢ−Ｂ断面図である。図５（ａ）に示すように、収納部材１０４の天面部１１４には、乗員側の端部である後端１２８の近傍に、第１の傾斜領域（傾斜領域１３２）が設けられている。この傾斜領域１３２は、周囲の領域に比べて、乗員側の上方へ向かって斜めに延びるよう傾斜して設けられている。
【手続補正書】
【提出日】平成26年11月17日(2014.11.17)
【手続補正１】
【補正対象書類名】特許請求の範囲
【補正対象項目名】全文
【補正方法】変更
【補正の内容】
【特許請求の範囲】
【請求項１】
メダル収納庫を本体床板上で前後移動可能に収納する遊技台であって、
前記メダル収納庫は、メダルを収納する第一のスペースを形成するものであり、
前記メダル収納庫は、前記第一のスペースの底板の少なくとも一部を天板とした第二のスペースを形成するものであり、
前記メダル収納庫は、前記底板の後端で前記底板より下の板を無くすことにより、前記第二のスペースの開口部を形成するものであり、
メダルの直径をＬ１とし、メダルの厚さをＬ２とした場合、
前記開口部の上下幅Ｌ３は、下記式１を満たす幅であり、
前記開口部の左右幅Ｌ４は、下記式２を満たす幅であり、
前記開口部の右端を端とする側板部は、前記開口部の内側に向けた曲部を有する、または前記開口部の左端を端とする側板部は、前記開口部の内側に向けた曲部を有する、
ことを特徴とする遊技台。
[式１]    Ｌ２＜Ｌ３
[式２]    Ｌ１×２＜Ｌ４＜Ｌ１×３
【手続補正２】
【補正対象書類名】明細書
【補正対象項目名】０００６
【補正方法】変更
【補正の内容】
【０００６】
本発明は上記の目的を達成するために、メダル収納庫を本体床板上で前後移動可能に収納する遊技台であって、前記メダル収納庫は、メダルを収納する第一のスペースを形成するものであり、前記メダル収納庫は、前記第一のスペースの底板の少なくとも一部を天板とした第二のスペースを形成するものであり、前記メダル収納庫は、前記底板の後端で前記底板より下の板を無くすことにより、前記第二のスペースの開口部を形成するものであり、メダルの直径をＬ１とし、メダルの厚さをＬ２とした場合、前記開口部の上下幅Ｌ３は、下記式１を満たす幅であり、前記開口部の左右幅Ｌ４は、下記式２を満たす幅であり、前記開口部の右端を端とする側板部は、前記開口部の内側に向けた曲部を有する、または前記開口部の左端を端とする側板部は、前記開口部の内側に向けた曲部を有する、ことを特徴とする。
[式１]    Ｌ２＜Ｌ３
[式２]    Ｌ１×２＜Ｌ４＜Ｌ１×３
【手続補正３】
【補正対象書類名】明細書
【補正対象項目名】０１０４
【補正方法】変更
【補正の内容】
【０１０４】
＜付記４＞
本発明は、
１．
メダル収納庫を本体床板上で前後移動可能に収納する遊技台であって、
前記メダル収納庫は、メダルを収納する第一のスペースを形成するものであり、
前記メダル収納庫は、前記第一のスペースの底板の少なくとも一部を天板とした第二のスペースを形成するものであり、
前記メダル収納庫は、前記底板の後端で前記底板より下の板を無くすことにより、前記第二のスペースの開口部を形成するものであり、
メダルの直径をＬ１とし、メダルの厚さをＬ２とした場合、
前記開口部の上下幅Ｌ３は、下記式１を満たす幅であり、
前記開口部の左右幅Ｌ４は、下記式２を満たす幅であり、
前記開口部の右端を端とする側板部は、前記開口部の内側に向けた曲部を有する、または前記開口部の左端を端とする側板部は、前記開口部の内側に向けた曲部を有する、
ことを特徴とする遊技台、
[式１]    Ｌ２＜Ｌ３
[式２]    Ｌ１×２＜Ｌ４＜Ｌ１×３
とした。
本発明の態様は、上述した個々の実施例に限定されるものではなく、個々の実施例の各要素のいかなる組合せも本発明に含み、また、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【手続補正書】
【提出日】平成27年6月12日(2015.6.12)
【手続補正１】
【補正対象書類名】特許請求の範囲
【補正対象項目名】全文
【補正方法】変更
【補正の内容】
【特許請求の範囲】
【請求項１】
所定の画像をゲーム中に再現するための所定の情報を記録媒体から取得し、取得した前記所定の情報に基づいて前記ゲーム中に再現された前記所定の画像を前記ゲームの進行に利用するゲーム機であって、
各記録媒体の所有者に対応する各プレイヤを識別するための情報として前記所定の画像に関連付けられるプレイヤ情報を各記録媒体から取得する情報取得手段と、
前記情報取得手段によって取得された前記プレイヤ情報に基づいて、各所定の画像に関連付けられる各プレイヤを判別するプレイヤ判別手段と、
を備える、ゲーム機。
【請求項２】
前記情報取得手段の取得結果に基づいて、各記録媒体の前記所定の情報に基づいて、各所定の画像を前記ゲーム中に再現する画像再現手段を更に備える、請求項１に記載のゲーム機。
【請求項３】
前記プレイヤ判別手段の判別結果に基づいて、前記プレイヤ情報を基準に各記録媒体の前記所定の情報を、前記ゲーム内での扱いが互いに異なる各分類に分類する画像分類手段を更に備える、請求項１又は２にゲーム機。
【請求項４】
前記ゲームとして、所定の対価の消費と引き換えに所定の範囲のプレイが可能なゲームが利用され、
前記画像分類手段は、前記所定の範囲のプレイを対象に最初に前記所定の情報を取得した最初のプレイヤ情報及び当該最初のプレイヤ情報以降に取得したプレイヤ情報のうち前記最初のプレイヤ情報と同じプレイヤに対応するプレイヤ情報が同じ分類に、前記最初のプレイヤ情報以降に取得したプレイヤ情報のうち前記最初のプレイヤ情報と異なるプレイヤに対応するプレイヤ情報が前記同じ分類とは異なる他の分類に、それぞれ分類されるように、各記録媒体の前記所定の情報を各分類に分類する、請求項３に記載のゲーム機。
【請求項５】
前記所定の画像としてゲーム結果が反映された反映後画像が、前記所定の情報として前記反映後画像を再現するための反映後情報が、それぞれ利用されるように前記反映後情報を含む出力データを生成するデータ生成手段と、
前記所定の情報として前記反映後情報が記録されるように、前記出力データを記録媒体に出力するデータ出力手段と、
を更に備える、請求項３又は４に記載のゲーム機。
【請求項６】
前記データ生成手段は、前記出力データの生成対象を分類単位で制限し、
前記ゲーム内での扱いが互いに異なる各分類は、前記出力データの生成が許可される許可分類及び前記出力データの生成が制限される制限分類を含み、
前記許可分類及び前記制限分類は、前記出力データの生成が制限されるか否かによって互いに扱いが異なっている、請求項５に記載のゲーム機。
【請求項７】
前記ゲーム内での扱いが互いに異なる各分類は、各所定の画像が前記ゲームで使用されるように再現される再現分類と、各所定の画像が前記ゲームで使用されないように各所定の画像の再現が拒否される拒否分類と、を含み、
前記再現分類及び前記拒否分類は、各所定の画像が再現されるか否かによって互いに扱いが異なっている、請求項３〜６のいずれか一項に記載のゲーム機。
【請求項８】
前記プレイヤ情報として、各プレイヤによって設定されたプレイヤの名称の情報が利用されている、請求項１〜７のいずれか一項に記載のゲーム機。
【請求項９】
前記記録媒体として、前記所定の画像に対応する画像及び前記所定の情報に対応する情報の少なくともいずれか一方が表示される媒体が利用されている、請求項１〜８のいずれか一項に記載のゲーム機。
【請求項１０】
前記記録媒体として、前記所定の画像に対応する画像及び前記所定の情報に対応する情報の少なくともいずれか一方が印刷されている被印刷媒体が利用されている、請求項１〜９のいずれか一項に記載のゲーム機。
【請求項１１】
前記所定の情報は、前記所定の情報を含むように所定の規格に準拠して作成されたコード或いは当該コードを画像として表現するためのデータとして前記記録媒体に記録されている、請求項１〜１０のいずれか一項に記載のゲーム機。
【請求項１２】
前記コードとして、二次元コードが利用されている、請求項１１に記載のゲーム機。
【請求項１３】
所定の画像をゲーム中に再現するための所定の情報を記録媒体から取得し、取得した前記所定の情報に基づいて前記ゲーム中に再現された前記所定の画像を前記ゲームの進行に利用するゲーム機に組み込まれるコンピュータに、
各記録媒体の所有者に対応する各プレイヤを識別するための情報として前記所定の画像に関連付けられるプレイヤ情報を各記録媒体から取得する情報取得工程と、
前記情報取得工程によって取得された前記プレイヤ情報に基づいて、各所定の画像に関連付けられる各プレイヤを判別するプレイヤ判別工程と、
を実行させる制御方法。
【請求項１４】
所定の画像をゲーム中に再現するための所定の情報を記録媒体から取得し、取得した前記所定の情報に基づいて前記ゲーム中に再現された前記所定の画像を前記ゲームの進行に利用するゲーム機に組み込まれるコンピュータを、
各記録媒体の所有者に対応する各プレイヤを識別するための情報として前記所定の画像に関連付けられるプレイヤ情報を各記録媒体から取得する情報取得手段、及び前記情報取得手段によって取得された前記プレイヤ情報に基づいて、各所定の画像に関連付けられる各プレイヤを判別するプレイヤ判別手段として機能させるように構成されたゲーム機用のコンピュータプログラム。
【手続補正書】
【提出日】平成27年3月24日(2015.3.24)
【手続補正１】
【補正対象書類名】特許請求の範囲
【補正対象項目名】全文
【補正方法】変更
【補正の内容】
【特許請求の範囲】
【請求項１】
対戦結果に基づいてユーザーにキャラクターを付与する対戦ゲームを、コンピューターに実行させるゲームプログラムであって、
前記コンピューターに、
前記対戦ゲームによって前記ユーザーに付与された前記キャラクターを、前記ユーザーの所有する所有キャラクターとして記憶部に記録する記録処理と、
前記ユーザーによって指定された指定キャラクターに関する情報を記憶部に予め登録する登録処理と、
前記登録処理後において前記キャラクターが前記ユーザーに付与される際に、前記指定キャラクターに関する情報と前記ユーザーに付与される前記キャラクターに関する情報とを比較する比較処理と、
前記比較処理における比較結果に基づいて、前記ユーザーに付与される前記キャラクターを前記ユーザーに所有させずに、前記ユーザーに付与される前記キャラクターの価値に相当するゲームポイントを前記ユーザーに付与するキャラクター売却処理と、
を実行させるゲームプログラム。
【請求項２】
対戦結果に基づいてユーザーにキャラクターを付与する対戦ゲームを、コンピューターに実行させるゲームプログラムであって、
前記コンピューターに、
前記対戦ゲームによって前記ユーザーに付与された前記キャラクターを、前記ユーザーの所有する所有キャラクターとして記憶部に記録する記録処理と、
前記ユーザーによって指定された指定キャラクターに関する情報を記憶部に予め登録する登録処理と、
前記登録処理後において前記キャラクターが前記ユーザーに付与される際に、前記指定キャラクターに関する情報と前記ユーザーに付与される前記キャラクターに関する情報とを比較する比較処理と、
前記比較処理における比較結果に基づいて、前記ユーザーに付与される前記キャラクターを前記ユーザーに所有させずに、前記ユーザーの前記所有キャラクターに設定されたパラメーターを変化させるキャラクター合成処理と、
を実行させるゲームプログラム。
【請求項３】
請求項１又は２に記載のゲームプログラムであって、
前記登録処理では、前記指定キャラクターに関する情報として、前記指定キャラクターに設定されたレアリティを記憶部に予め登録し、
前記比較処理では、レアリティが設定された前記キャラクターが前記ユーザーに付与される際に、前記指定キャラクターのレアリティと前記ユーザーに付与される前記キャラクターのレアリティとを比較する、
ことを特徴とするゲームプログラム。
【請求項４】
請求項３に記載のゲームプログラムであって、
前記比較処理では、一度に複数の前記キャラクターが前記ユーザーに付与される際に、前記指定キャラクターのレアリティと前記ユーザーに付与される各々の前記キャラクターのレアリティとをそれぞれ比較する、
ことを特徴とするゲームプログラム。
【請求項５】
対戦結果に基づいてユーザーにキャラクターを付与する対戦ゲームを実行する情報処理装置であって、
前記対戦ゲームによって前記ユーザーに付与された前記キャラクターを、前記ユーザーの所有する所有キャラクターとして記憶部に記録する記録処理部と、
前記ユーザーによって指定された指定キャラクターに関する情報を記憶部に予め登録する登録処理部と、
前記登録処理部による登録処理後において前記キャラクターが前記ユーザーに付与される際に、前記指定キャラクターに関する情報と前記ユーザーに付与される前記キャラクターに関する情報とを比較する比較処理部と、
前記比較処理部による比較結果に基づいて、前記ユーザーに付与される前記キャラクターを前記ユーザーに所有させずに、前記ユーザーに付与される前記キャラクターの価値に相当するゲームポイントを前記ユーザーに付与するキャラクター売却処理部と、
を備えたことを特徴とする情報処理装置。
【請求項６】
対戦結果に基づいてユーザーにキャラクターを付与する対戦ゲームを実行する情報処理装置であって、
前記対戦ゲームによって前記ユーザーに付与された前記キャラクターを、前記ユーザーの所有する所有キャラクターとして記憶部に記録する記録処理部と、
前記ユーザーによって指定された指定キャラクターに関する情報を記憶部に予め登録する登録処理部と、
前記登録処理部による登録処理後において前記キャラクターが前記ユーザーに付与される際に、前記指定キャラクターに関する情報と前記ユーザーに付与される前記キャラクターに関する情報とを比較する比較処理部と、
前記比較処理部による比較結果に基づいて、前記ユーザーに付与される前記キャラクターを前記ユーザーに所有させずに、前記ユーザーの前記所有キャラクターに設定されたパラメーターを変化させるキャラクター合成処理部と、
を備えたことを特徴とする情報処理装置。
【手続補正２】
【補正対象書類名】明細書
【補正対象項目名】発明の名称
【補正方法】変更
【補正の内容】
【発明の名称】ゲームプログラム、及び、情報処理装置
【手続補正書】
【提出日】平成27年2月25日(2015.2.25)
【手続補正１】
【補正対象書類名】明細書
【補正対象項目名】００６７
【補正方法】変更
【補正の内容】
【００６７】
同様に、制御部３１０は、朝、晩それぞれについて、前々回の診察から前回の診察までの期間（第２の期間としての前回の診察期間）における日ごとの上記代表値と測定日数とを取得する。そして、制御部３１０は、第２の平均値算出部として働いて、取得した上記代表値と上記測定日数とに基づいて、前回の診察期間における上記代表値を平均した第２の平均値としての前回の診察の平均値を算出する。ここで、上記前回の診察の平均値は、血圧値についての平均血圧値と、脈拍数についての平均脈拍数とを含む。
【手続補正２】
【補正対象書類名】明細書
【補正対象項目名】００８１
【補正方法】変更
【補正の内容】
【００８１】
また、上記朝の平均血圧グラフ表示欄７１には、前回の診察における朝の平均血圧値について、上がＳＢＰ、下がＤＢＰとなるように示した浮動棒グラフ７１ａがＳＢＰおよびＤＢＰの値とともに表示されている。また、前回の診察における晩の平均血圧値について、上がＳＢＰ、下がＤＢＰとなるように示した浮動棒グラフ７２ａがＳＢＰおよびＤＢＰの値とともに表示されている。上記浮動棒グラフ７１ａ，７２ａは、浮動棒グラフ７１ｂ，７２ｂの左側に並べて表示されている。これにより、上記医師は、上記表示画面上で上記今回の診察の平均血圧値と前回の診察の平均血圧値とを容易に比較できて、被験者の血圧状態をより容易かつ確実に把握できる。
【手続補正３】
【補正対象書類名】図面
【補正対象項目名】図９
【補正方法】変更
【補正の内容】
【図９】
2013192609.tif 000001
【手続補正書】
【提出日】平成27年2月25日(2015.2.25)
【手続補正１】
【補正対象書類名】明細書
【補正対象項目名】００３４
【補正方法】変更
【補正の内容】
【００３４】
操作部２３０は、この例では、キーボードおよびマウスで構成され、ユーザによる操作を示す操作信号を制御部３１０に入力する。また、操作部２３０は、キーボードおよびマウスに替えて、または、加えて、タッチパネルなどの他の操作デバイスで構成されるようにしてもよい。
【手続補正２】
【補正対象書類名】明細書
【補正対象項目名】００９９
【補正方法】変更
【補正の内容】
【００９９】
第３ステップＳ３０３では、表示画面の一部５２に、上記血圧評価項目を一覧可能に示す血圧評価項目リスト表示欄７１を表示するとともに、表示された上記血圧評価項目リスト中の上記血圧評価項目に対応して演算された上記血圧評価結果の良否を示すアイコンマーク７２ａ，７２ｂを表示する。この第３ステップＳ３０３は、図９中のステップＳ２０２に相当する。
【手続補正３】
【補正対象書類名】図面
【補正対象項目名】図１０
【補正方法】変更
【補正の内容】
【図１０】
2013192608.tif 000001
【手続補正書】
【提出日】平成26年12月18日(2014.12.18)
【手続補正１】
【補正対象書類名】特許請求の範囲
【補正対象項目名】全文
【補正方法】変更
【補正の内容】
【特許請求の範囲】
【請求項１】
加熱ヘッド（２）は、肌面に接触する加熱体（２０）と、加熱体（２０）の内部の発熱空間（２５）に収容されて、加熱体（２０）を加熱する熱源（２２）とを含み、
発熱空間（２５）の内部に、熱源（２２）の熱を加熱体（２０）に熱伝導作用で伝導する伝熱体（２１）が配置してあることを特徴とする温熱器具。
【請求項２】
伝熱体（２１）が、発熱空間（２５）の内面に密着する軟質材で構成してある請求項１に記載の温熱器具。
【請求項３】
熱源（２２）の発熱部（５３）の全体が、伝熱体（２１）の内部に埋設する状態で封入してある請求項１または２に記載の温熱器具。
【請求項４】
発熱部（５３）の全体が、板状の発熱体で構成してある請求項３に記載の温熱器具。
【請求項５】
伝熱体（２１）に、感温変色性材を含む温度表示部（６７）が設けられており、
温度表示部（６７）が、温熱器具の本体部（１）から加熱ヘッド（２）に至る間の器具外面に露出させてある請求項１から４のいずれかひとつに記載の温熱器具。